(57)【要約】【課題】液晶層等といった電気光学物質層を用いて鮮明なカラー表示を行うことができるようにする。【解決手段】電気光学物質層１４と、電気光学物質層１４に対してほぼ平行な平面内に配列されたＲ，Ｇ，Ｂの各色着色層１９と、電気光学物質層１４及び着色層１９へ供給される光Ｌ１を発生する光源とを有する電気光学装置である。光源としては、Ｒ色波長領域に強度ピークがある分光特性のもの、例えば３波長方式ＬＥＤを用いる。Ｒ色着色層１９に対応する電気光学物質層１４の層厚をｄｒとし、Ｇ色着色層１９に対応する電気光学物質層１４の層厚をｄｇとし、Ｂ色着色層１９に対応する電気光学物質層１４の層厚をｄｂとするとき、ｄｒ＞ｄｇ＞ｄｂに設定する。各色間でΔｎ×ｄ／λの値を一定にできるようになるので、カラー表示の明るさを向上できる。【選択図】        図２
2004198929.tif 000002
【特許請求の範囲】
【請求項１】
電気光学物質層と、
該電気光学物質層に対してほぼ平行な平面内に配列されたＲ，Ｇ，Ｂの各色着色層と、
前記電気光学物質層及び前記着色層へ供給する光を発生する光源とを有し、
前記光源はＲ色波長領域に強度ピークがある分光特性を有し、
前記Ｒ色着色層に対応する前記電気光学物質層の層厚をｄｒとし、前記Ｇ色着色層に対応する前記電気光学物質層の層厚をｄｇとし、前記Ｂ色着色層に対応する前記電気光学物質層の層厚をｄｂとするとき、
ｄｒ ＞ ｄｇ ＞ ｄｂ
であることを特徴とする電気光学装置。
【請求項２】
請求項１に記載の電気光学装置において、前記光源は３波長方式ＬＥＤ又は冷陰極管であることを特徴とする電気光学装置。
【請求項３】
請求項１又は請求項２に記載の電気光学装置において、
前記電気光学物質層は電気光学物質を含み、
前記電気光学物質の屈折率異方性をΔｎとし、
前記Ｒ色着色層を透過する光の波長をλｒとし、前記Ｇ色着色層を透過する光の波長をλｇとし、前記Ｂ色着色層を透過する光の波長をλｂとし、
前記Ｒ色着色層に対応する前記電気光学物質層の層厚をｄｒとし、前記Ｇ色着色層に対応する前記電気光学物質層の層厚をｄｇとし、前記Ｂ色着色層に対応する前記電気光学物質層の層厚をｄｂとするとき、
Δｎ×ｄｒ／λｒ ≒ Δｎ×ｄｇ／λｇ ≒ Δｎ×ｄｂ／λｂ
であることを特徴とする電気光学装置。
【請求項４】
請求項１から請求項３の少なくともいずれか１つに記載の電気光学装置において、前記電気光学物質層は液晶層であることを特徴とする電気光学装置。
【請求項５】
請求項４に記載の電気光学装置において、
表示領域を構成する複数の表示ドットと、個々の表示ドット内に設けられる反射部と、個々の表示ドット内に設けられる透過部とを有し、
前記Ｒ色着色層に対応する前記透過部の所の前記液晶層の層厚をｄｒとし、前記Ｇ色着色層に対応する前記透過部の所の前記液晶層の層厚をｄｇとし、前記Ｂ色着色層に対応する前記透過部の所の前記液晶層の層厚をｄｂとするとき、
ｄｒ ＞ ｄｇ ＞ ｄｂ
であることを特徴とする電気光学装置。
【請求項６】
請求項１から請求項５の少なくともいずれか１つに記載の電気光学装置と、該電気光学装置の動作を制御する制御手段とを有することを特徴とする電子機器。
【発明の詳細な説明】
【０００１】
【発明の属する技術分野】
本発明は、液晶装置等といった電気光学装置及びそれを用いた電子機器に関する。
【０００２】
【従来の技術】
現在、携帯電話機、携帯情報端末機等といった電子機器に液晶装置等といった電気光学装置が広く用いられている。例えば、電子機器に関する各種の情報を視覚的に表示するための表示部として電気光学装置が用いられている。
【０００３】
このような電気光学装置において電気光学物質として液晶を用いたもの、すなわち、液晶装置が知られている。この液晶装置では、例えば、液晶層に光を供給すると共に、該液晶層に印加される電界を表示ドットごとに制御してその液晶分子の配向を表示ドットごと制御する。この配向制御により、液晶層に供給された光を表示ドットごとに変調し、これにより、光の進行方向に関して液晶層の下流側の平面に文字、数字、図形等といった像を表示できる。
【０００４】
この液晶装置において、液晶層に光を供給する方法として、反射型、透過型及び半透過反射型といった各種方式が知られている。反射型とは、太陽光、室内光等といった外部光を液晶層の裏面で反射させ、この反射光を液晶層へ供給する方式である。また、透過型とは、液晶層の裏面側に設けた照明装置、いわゆるバックライトから発生した光を液晶層へ供給する方式である。また、半透過反射型とは、反射型方式と透過型方式との両方を必要に応じて選択して実行できる方式である。
【０００５】
上記照明装置において、従来、光源としてはＬＥＤ（Light Emitting Diode）や冷陰極管が用いられている。光源としてＬＥＤを用いる場合、従来は、ＹＡＧ方式のＬＥＤが用いられることが多かった。
【０００６】
他方、混色の３原色、例えばＲ（赤），Ｇ（緑），Ｂ（青）の３色の着色層を所定のパターン、例えばストライプパターン、デルタパターン又はモザイクパターンに配列させて成るカラーフィルタを用いてカラー表示を行うようにした液晶装置も、従来から知られている（例えば、特許文献１参照）。
【０００７】
【特許文献１】
特開２００２−２５３２６号公報（第５頁、図２）
【０００８】
【発明が解決しようとする課題】
ＹＡＧ方式のＬＥＤは、例えば図８（ｂ）に符号２０１で示すように、発光要素として青色ＬＥＤ２０２を用い、ＹＡＧ蛍光体２０３を含んだ樹脂２０４をその青色ＬＥＤ２０２の発光面に設けることによって形成される。こうすれば、青色ＬＥＤ２０２から発生した青色光が樹脂２０４を通過するときに、その青色光の一部がＹＡＧ蛍光体２０３に当たって黄色光、すなわち緑色光と赤色光との混合光、に変換され、これがＹＡＧ蛍光体２０３に当たらないで外部へ出射した青色光と混合して白色光が得られるようになっている。
【０００９】
このＹＡＧ方式のＬＥＤ２０１は図６に符号Ｂで示すような発光特性を有している。グラフから明らかなように、このＬＥＤは、Ｒ色（赤色）波長領域、すなわち６４０ｎｍ〜７８０ｎｍの領域内にほとんどピークを持っていない。
【００１０】
ところで、液晶装置においてカラーフィルタを用いてカラー表示を行う場合には、通常、液晶層に供給する光又は液晶層を透過した光がカラーフィルタを通過するようにする。このようなカラーフィルタを用いる場合であって、上記のように光源としてＹＡＧ方式のＬＥＤを用いるときには、ＹＡＧ方式のＬＥＤが上記のようにＲ色波長領域に強度ピークを持たない特性を有することから、カラー表示におけるＲ色の強度を強めるために、従来、カラーフィルタにおけるＲ色着色層の層厚を厚く設定していた。
【００１１】
カラー表示を行う場合には、一般に、（１）Ｒ色着色層、Ｇ色着色層及びＢ色着色層のそれぞれの屈折率異方性をΔｎｒ，Δｎｇ，Δｎｂとし、（２）Ｒ色着色層、Ｇ色着色層及びＢ色着色層のそれぞれに対応する液晶層の厚さをｄｒ，ｄｇ，ｄｂとし、（３）Ｒ色着色層、Ｇ色着色層及びＢ色着色層のそれぞれを通過する光の波長をλｒ、λｇ、λｂとするとき、
Δｎｒ×ｄｒ／λｒ ≒ Δｎｇ×ｄｇ／λｂ ≒ Δｎｂ×ｄｂ／λｂ
であることが、各色を明るく表示する上で好ましいといわれている。
【００１２】
しかしながら、ＹＡＧ方式のＬＥＤを用いた従来の液晶装置では、ＹＡＧ方式のＬＥＤが上記のようにＲ色波長領域に強度ピークを持たないため、Ｒ色着色層の層厚を厚くしなければならず、つまり、Ｒ色着色層に対応する液晶層の厚さを薄くしなければならず、それ故、Ｒ色，Ｇ色，Ｂ色の各着色層の間で
Δｎ×ｄ／λ
の値にバラツキが生じ、その結果、鮮明なカラー表示が得られないという問題があった。
【００１３】
本発明は、上記の問題点に鑑みて成されたものであって、液晶層等といった電気光学物質層を用いて鮮明なカラー表示を行うことができるようにすることを目的とする。
【００１４】
【課題を解決するための手段】
（１）上記の目的を達成するため、本発明に係る電気光学装置は、電気光学物質層と、該電気光学物質層に対してほぼ平行な平面内に配列されたＲ，Ｇ，Ｂの各色着色層と、前記電気光学物質層及び前記着色層へ供給される光を発生する光源とを有し、前記光源はＲ色波長領域に強度ピークがある分光特性を有し、前記Ｒ色着色層に対応する前記電気光学物質層の層厚をｄｒとし、前記Ｇ色着色層に対応する前記電気光学物質層の層厚をｄｇとし、前記Ｂ色着色層に対応する前記電気光学物質層の層厚をｄｂとするとき、
ｄｒ ＞ ｄｇ ＞ ｄｂ
であることを特徴とする。
【００１５】
この電気光学装置では、光源がＲ色波長領域に強度ピークを持つことにより、Ｒ色着色層の厚さを薄くできる、つまり、Ｒ色着色層に対応する電気光学物質層の層厚を厚くできる。それ故、Ｒ，Ｇ，Ｂの各色着色層に対応する液晶層の層厚をｄｒ ＞ ｄｇ ＞ ｄｂのように設定した場合でも、Ｒ色を十分な強度で表示できる。そして、ｄｒ ＞ ｄｇ ＞ ｄｂに設定することにより、
Δｎｒ×ｄｒ／λｒ ≒ Δｎｇ×ｄｇ／λｂ ≒ Δｎｂ×ｄｂ／λｂ
の光学条件を満足できるようになり、従って、明るくて鮮明なカラー表示を行うことができる。
【００１６】
（２）上記構成において、前記光源は３波長方式ＬＥＤ又は冷陰極管であることが望ましい。これらは、共に、Ｒ色波長領域に強度ピークを有する光源である。３波長方式ＬＥＤは、例えば図８（ａ）に符号２０６に示すように、波長３８０〜４１０ｎｍの光、すなわち紫外線を発光する発光要素２０７と、その発光要素２０７の周りに設けられた蛍光物質２０８とを有する。蛍光物質２０８は、紫外線を受けてＲ（赤）色光を発光するＲ蛍光体と、紫外線を受けてＧ（緑）色光を発光するＧ蛍光体と、紫外線を受けてＢ（青）色光を発光するＢ蛍光体とを混合することによって形成されている。
【００１７】
発光要素２０７が発光して紫外光が発生されると、それがＲ，Ｇ，Ｂの各色蛍光体に当たってそれぞれの色の光に変換され、それらの光が混合して外部に白色光として認識される。このＬＥＤ２０６は図７に示すような発光特性を有しており、Ｒ色波長領域に強度ピークＣを有する。また、冷陰極管も、図６の符号Ｅで示すようにＲ色波長領域にピークＣを有する。
【００１８】
（３）上記構成において、電気光学物質の屈折率異方性をΔｎとし、前記Ｒ色着色層を透過する光の波長をλｒとし、前記Ｇ色着色層を透過する光の波長をλｇとし、前記Ｂ色着色層を透過する光の波長をλｂとし、前記Ｒ色着色層に対応する前記電気光学物質層の層厚をｄｒとし、前記Ｇ色着色層に対応する前記電気光学物質層の層厚をｄｇとし、前記Ｂ色着色層に対応する前記電気光学物質層の層厚をｄｂとするとき、
Δｎ×ｄｒ／λｒ ≒ Δｎ×ｄｇ／λｇ ≒ Δｎ×ｄｂ／λｂ
であることが望ましい。この条件が満足されれば、Ｒ，Ｇ，Ｂの各色がそれぞれに鮮明であって、さらに、全体としても明るいカラー表示を得ることができる。
（４）上記の電気光学装置において、前記電気光学物質層は液晶層とすることができる。これにより、電気光学装置として液晶装置が構成される。本発明に係る光学条件を液晶層に適用すれば、非常に好ましいカラー表示が得られる。
【００１９】
（５）電気光学物質として液晶装置を用いた上記構成の電気光学装置は、表示領域を構成する複数の表示ドットと、個々の表示ドット内に設けられる反射部と、個々の表示ドット内に設けられる透過部とを有することができる。この構成は、半透過反射型の液晶装置に相当する。この液晶装置においては、前記Ｒ色着色層に対応する前記透過部の所の前記液晶層の層厚をｄｒとし、前記Ｇ色着色層に対応する前記透過部の所の前記液晶層の層厚をｄｇとし、前記Ｂ色着色層に対応する前記透過部の所の前記液晶層の層厚をｄｂとするとき、
ｄｒ ＞ ｄｇ ＞ ｄｂ
であることが望ましい。
【００２０】
この場合、各色着色層の反射部に対応する液晶層の層厚は、Ｂ色着色層に対応する液晶層厚ｄｂよりも薄い液晶層厚であって、各色に均一な層厚にすることが望ましい。半透過反射型の液晶装置では、反射型表示時において外部光が液晶層を２回通過する。一方、透過型表示時にはバックライトからの光が液晶層を１回だけ通過する。このとき、反射部と透過部との間で液晶層厚が均一であると、液晶層を通過する回数の違いに応じて、反射型表示と透過型表示との間で均一な表示を行うことが難しい。
【００２１】
これに対し、本発明のように、透過部における液晶層厚を反射部における液晶層厚よりも大きくすれば、反射型表示と透過型表示とを均一にすることができる。
【００２２】
（６）次に、本発明に係る電子機器は、以上に記載した構成の電気光学装置と、該電気光学装置の動作を制御する制御手段とを有することを特徴とする。本発明の電気光学装置によれば、Ｒ，Ｇ，Ｂの各色着色層に対応して好適な電気光学物質層を実現できるので、鮮明で明るいカラー表示を行うことができるので、それを用いた本発明に係る電子機器においても、鮮明で明るいカラー表示によって必要な情報を表示できる。
【００２３】
【発明の実施の形態】
(電気光学装置の実施形態)
以下、本発明を電気光学装置の一例である液晶装置に適用した場合を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素を分かり易く示すため、各要素を実際とは異なった相対的な寸法で示している。
【００２４】
図１は、本発明に係る電気光学装置をその一例である液晶装置に適用した場合の一実施形態を示している。また、ここに挙げられた液晶装置は、２端子型のスイッチング素子であるＴＦＤ（Thin Film Diode）を用いたアクティブマトリクス方式であって、電気光学装置用基板としてカラーフィルタ基板を用いた、半透過反射型の液晶装置である。また、図１は、本発明に係る電気光学装置用基板を液晶装置に適用した場合の実施形態も示している。
【００２５】
図１において、液晶装置１は、液晶パネル２と、この液晶パネル２に実装された駆動用ＩＣ３と、照明装置４とを有する。照明装置４は、観察側（すなわち、図の上側）から見て液晶パネル２の背面側に配設されてバックライトとして機能する。照明装置４は、液晶パネル２の観察側に配設してフロントライトとして機能させても良い。
【００２６】
照明装置４は、３波長方式のＬＥＤを発光要素とする光源６と、透光性の樹脂によって形成された導光体７とを有する。観察側から見て導光体７の背面側には、必要に応じて、反射層８が設けられる。また、導光体７の観察側には、必要に応じて、拡散層９が設けられる。導光体７の光導入口７ａは図１の紙面垂直方向に延びており、光源６はこの光導入口７ａに対向して複数、例えば３個が紙面垂直方向に間隔を開けて設けられる。これらの光源６から発生した光はこの光導入口７ａを通して導光体７の内部へ導入される。光源６としては、例えば図８（ａ）に示すような３波長方式のＬＥＤ２０６を用いることにする。このＬＥＤは、図７に符号Ｃで示すように、Ｒ色波長領域に強度ピークを有する。
【００２７】
図１において、液晶パネル２は、電気光学装置用基板としてのカラーフィルタ基板１１と、それに対向する対向基板としての素子基板１２と、それらの基板を貼り合わせている矢印Ａ方向から見て正方形又は長方形の枠状のシール材１３とを有する。基板１１と、基板１２と、シール材１３とによって囲まれる間隙、いわゆるセルギャップ内に電気光学物質としての液晶１４が封入されて液晶層を構成している。
【００２８】
カラーフィルタ基板１１は、矢印Ａ方向から見て長方形又は正方形の第１基材１６ａを有し、その第１基材１６ａの内側表面には、凹凸すなわち凹部と非凹部との組み合わせを有する樹脂層１７が形成され、その上に反射層１８が形成され、その上に着色層１９及び遮光層２１が形成され、その上にオーバーコート層２２が形成され、その上に紙面垂直方向へ直線的に延びる電極２３ａが形成され、さらに、その上に配向膜２４ａが形成される。
【００２９】
配向膜２４ａには配向処理、例えばラビング処理が施され、これにより、第１基材１６ａの近傍の液晶分子の配向が決められる。また、第１基材１６ａの外側表面には、位相差板２６ａ及び偏光板２７ａが貼着等によって装着される。
【００３０】
第１基材１６ａは、例えば、透光性のガラス、透光性のプラスチック等によって形成される。樹脂層１７の表面には、図２に示すように、細かい凹凸、すなわち細かい凹部及び非凹部、が形成されている。反射層１８は、例えば、Ａｌ（アルミニウム）、Ａｌ合金等によって形成される。この反射層１８の表面は、その下地層である樹脂層１７に着けられた凹凸に対応して凹凸形状となっている。この凹凸形状により、反射層１８で反射する光は拡散する。
【００３１】
着色層１９は、例えば図４に示すように、１つ１つが長方形のドット状に形成され、１つの着色層１９は、Ｒ（赤）、Ｇ（緑）、Ｂ（青）の３原色のいずれか１つを呈する。これら各色の着色層１９は、ストライプ配列、デルタ配列、モザイク配列、その他適宜の配列となるように並べられている。図４では、ストライプ配列が例示されている。なお、着色層１９は、Ｃ（シアン）、Ｍ（マゼンタ）、Ｙ（イエロー）の３原色によって形成することもできる。また、図２は、図４におけるＸ−Ｘ線に従った断面図である。
【００３２】
図１において遮光層２１は、例えばＣｒ（クロム）等といった遮光性の材料によって、複数の着色層１９の間を埋める状態に形成される。この遮光層２１は、ブラックマトリクスとして機能して着色層１９を透過した光によって表示される像のコントラストを向上させる。なお、遮光層２１は、Ｃｒ等といった特定の材料によって形成されることに限られず、例えば、着色層１９を構成するＲ，Ｇ，Ｂの各着色層を重ねること、すなわち積層することによっても形成することができる。
【００３３】
オーバーコート層２２は、例えば、アクリル樹脂、ポリイミド樹脂等といった感光性の樹脂によって形成される。また、このオーバーコート層２２の適所には、図２に示すように、着色層１９の表面に達する貫通穴２８が形成されている。なお、この貫通穴２８に代えて、着色層１９の表面に達することなくオーバーコート層２２の途中までの深さの有底穴すなわち凹部をオーバーコート層２２に形成することもできる。
【００３４】
図２の紙面垂直方向に線状に延びる電極２３ａは、例えばＩＴＯ（Indium TinOxide）等といった金属酸化物によって形成され、その中央の一部が貫通穴２８の中へ落ち込んでいる。また、その上に形成された配向膜２４ａは、例えばポリイミド等によって形成され、この配向膜２４ａに関しても、貫通穴２８に対応する部分が、その貫通穴２８の中に落ち込んでいる。つまり、矢印Ａ方向から平面的に見ると、電極２３ａ及び配向膜２４ａには複数の窪みが形成されている。
【００３５】
図１において、カラーフィルタ基板１１に対向する素子基板１２は第２基材１６ｂを有する。この第２基材１６ｂは、張出し部２９が形成される１辺が第１基材１６ａの外側へ張り出している。この第２基材１６ｂの内側表面には、スイッチング素子としての複数のＴＦＤ３１が形成され、それらのＴＦＤ３１に接続するように複数のドット電極２３ｂが形成され、それらの上に配向膜２４ｂが形成される。配向膜２４ｂには配向処理、例えばラビング処理が施され、これにより、第２基材１６ｂの近傍の液晶分子の配向が決められる。第２基材１６ｂの外側表面には、位相差板２６ｂ及び偏光板２７ｂが貼着等によって装着される。
【００３６】
第２基材１６ｂは、例えば、透光性のガラス、透光性のプラスチック等によって形成される。また、ドット電極２３ｂはＩＴＯ等といった金属酸化物によって形成される。また、配向膜２４ｂは、例えばポリイミド等によって形成される。
個々のＴＦＤ３１は、図３に示すように、カラーフィルタ基板１１側の遮光層２１に対応する位置に設けられ、さらに、図５に示すように、第１ＴＦＤ要素３２ａと第２ＴＦＤ要素３２ｂとを直列に接続することによって形成されている。なお、図３は、図４のＹ−Ｙ線に従った断面図であり、従って、図２の断面図である。
【００３７】
図５において、ＴＦＤ素子３１は、例えば、次のようにして形成される。すなわち、まず、ＴａＷ（タンタルタングステン）によってライン配線３３の第１層３４ａ及びＴＦＤ素子３１の第１金属３６を形成する。次に、陽極酸化処理によってライン配線３３の第２層３４ｂ及びＴＦＤ素子３１の絶縁膜３７を形成する。次に、例えばＣｒ（クロム）によってライン配線３３の第３層３４ｃ及びＴＦＤ素子３１の第２金属３８を形成する。
【００３８】
図３において、カラーフィルタ基板１１上に形成された線状電極２３ａは、紙面の左右方向に延びている。素子基板１２上に形成された上記のライン配線３３は、線状電極２３ａに対して直角方向、すなわち図の紙面垂直方向に延びている。
【００３９】
図５において、第１ＴＦＤ要素３２ａの第２金属３８はライン配線３３の第３層３４ｃから延びている。また、第２ＴＦＤ要素３２ｂの第２金属３８の先端に重なるように、ドット電極２３ｂが形成される。ライン配線３３からドット電極２３ｂへ向けて電気信号が流れることを考えれば、その電流方向に従って、第１ＴＦＤ要素３２ａでは第２電極３８→絶縁膜３７→第１金属３６の順に電気信号が流れ、一方、第２ＴＦＤ要素３２ｂでは第１金属３６→絶縁膜３７→第２金属３８の順に電気信号が流れる。
【００４０】
つまり、第１ＴＦＤ要素３２ａと第２ＴＦＤ要素３２ｂとの間では電気的に逆向きの一対のＴＦＤ要素が互いに直列に接続されている。このような構造は、一般に、バック・ツー・バック（Back-to-Back）構造と呼ばれており、この構造のＴＦＤ素子は、ＴＦＤ素子を１個のＴＦＤ要素だけによって構成する場合に比べて、安定した特性を得られることが知られている。なお、第１金属３６等の第２基材１６ｂからの剥れを防止したり、第２基材１６ｂから第１金属３６等へ不純物が拡散しないようにする等のために、ＴＦＤ３１と基材１６ｂとの間及びライン配線３３と基材１６ｂとの間に下地層（図示せず）を設けることもできる。
【００４１】
図１において、第２基材１６ｂの張出し部２９上に配線３９が、例えばＴＦＤ３１やドット電極２３ｂの形成の際に同時に形成される。また、第１基材１６ａ上に配線４１が、例えば反射層１８や線状電極２３ａの形成の際に同時に形成される。シール材１３の内部には、球形又は円筒形の導電材４２が分散状態で含まれている。第１基材１６ａ上の配線４１と第２基材１６ｂ上の配線３９は、その導電材４２によって互いに導通しており、これにより、カラーフィルタ基板１１側の線状電極２３ａが素子基板１２側の配線３９に導通されている。
【００４２】
素子基板１２の張出し部２９上には、ＡＣＦ（Anisotropic Conductive Film：異方性導電膜）４３によって駆動用ＩＣ３が実装されている。詳しくは、ＡＣＦ４３を構成する樹脂によって駆動用ＩＣ３が張出し部２９上に固着され、さらに、ＡＣＦ４３に含まれる導電粒子によって駆動用ＩＣ３のバンプすなわち端子と配線３９とが導電接続される。
【００４３】
また、張出し部２９の辺縁には外部接続用端子４４が形成され、この外部接続端子４４がＡＣＦ４３によって駆動用ＩＣ３のバンプに導電接続されている。外部接続端子４４には、図示しない配線基板、例えば可撓性配線基板が、ハンダ付け、ＡＣＦ、ヒートシール等といった導電接続手法によって接続される。この配線基板を介して、電子機器、例えば携帯電話機、携帯情報端末機から液晶装置１へ信号、電力等が供給される。
【００４４】
図１において、カラーフィルタ基板１１側の線状電極２３ａと素子基板１２側のドット電極２３ｂは、矢印Ａ方向から見て平面的に互いに重なり合っている。この重なり領域が、表示の最小単位である表示ドットＤを構成する。そして、矢印Ａ方向から見てマトリクス状に配列された複数の表示ドットＤによって表示領域Ｖが構成される。この表示領域Ｖ内に、文字、数字、図形等といった像が表示される。
【００４５】
個々の表示ドットＤは、図４に示すように、ほぼ、ドット電極２３ｂと同じ大きさの面積となっている。なお、図４では、鎖線で示すドット電極２３ｂが実線で示す着色層１９よりも少し大きく描いてあるが、これは構造を分かり易く示すためであり、それらの平面形状は、実際には、ほとんど同じ形状で、互いに重なり合っている。
【００４６】
また、図４において、ドット状の個々の着色層１９は、個々の表示ドットＤに対応して形成される。また、図２及び図３において、反射層１８には個々の表示ドットＤに対応して開口４６が設けられる。これらの開口４６は、図４に示すように、平面的に見て長方形状に形成されている。なお、図４では破線で示す開口４６が、実線で示すオーバーコート層２２の貫通穴２８よりも少し大きく描いてあるが、平面的に見たときの両者の周縁は、ほぼ一致する。
【００４７】
本実施形態のように、Ｒ，Ｇ，Ｂの３色から成る着色層１９を用いてカラー表示を行う場合は、Ｒ，Ｇ，Ｂの３色に対応する３つの着色層１９に対応する３つの表示ドットＤによって１つの画素が形成される。他方、着色層を用いないで白黒等といったモノカラー表示を行う場合は、１つの表示ドットＤによって１つの画素が形成される。
【００４８】
図２及び図３において、個々の表示ドットＤの中で反射層１８が設けられた部分Ｒが反射部であり、開口４６が形成された部分Ｔが透過部である。観察側から入射した外部光、すなわち素子基板１２側から入射した外部光Ｌ０（図２参照）は、反射部Ｒで反射する。一方、図１の照明装置４の導光体７から出射した光Ｌ１（図２参照）は、透過部Ｔを透過する。
【００４９】
以上の構成から成る本実施形態によれば、太陽光、室内光等といった外部光が強い場合は、外部光Ｌ０が反射部Ｒで反射して液晶層１４へ供給される。これにより、反射型表示が行われる。一方、図１の照明装置４が点灯した場合は、導光体７から出射する平面状の光が、図２の透過部Ｔを通して液晶層１４へ供給される。これにより、透過型表示が行われる。このような反射型表示及び透過型表示を希望に応じて選択して実行することにより、半透過反射型の表示が行われる。
液晶層１４を挟持する線状電極２３ａ及びドット電極２３ｂの一方には走査電圧が印加され、他方にはデータ電圧が印加される。走査電圧とデータ電圧が印加された表示ドットＤに付属するＴＦＤ３１はＯＮ状態となり、当該表示ドットＤにおける液晶分子の配向状態が該表示ドットＤを通過する光を変調するように維持される。そして、この変調された光が図１の偏光板２７ｂを通過するか、しないかによって、素子基板１２の外側に、文字、数字、図形等といった希望の像が表示される。外部光Ｌ０を用いて表示が行われる場合が反射型表示であり、透過光Ｌ１を用いて表示が行われる場合が透過型表示である。
【００５０】
反射型表示が行われるとき、反射光Ｌ０は液晶層１４を２回通過する。また、透過型表示が行われるとき、透過光Ｌ１は液晶層１４を１回だけ通過する。このため、仮に、液晶層１４の層厚が反射部Ｒと透過部Ｔとにわたって均一であるとすると、反射光Ｌ０を用いた反射型表示と透過光Ｌ１を用いた透過型表示との間で、液晶層１４を通過する距離に違いが生じ、反射型表示と透過型表示との間で表示品質が異なるという問題が生じるおそれがある。
【００５１】
このことに関し、本実施形態では、オーバーコート層２２に貫通穴２８を設けることにより、透過部Ｔでの液晶層１４の層厚ｄｒ，ｄｂ．ｄｇを、反射部Ｒでの層厚ｄ０よりも薄くしている。このため、反射型表示と透過型表示との間で均一な表示品質を得られるようになっている。
【００５２】
また、本実施形態の液晶装置では、図２において、液晶層１４の層厚をＲ，Ｇ，Ｂの各色着色層１９の透過部Ｔの所に対応して異ならせてある。具体的には、Ｒ色着色層１９の透過部Ｔに対応する液晶層１４の層厚をｄｒとし、Ｇ色着色層１９の透過部Ｔに対応する液晶層１４の層厚をｄｇとし、Ｂ色着色層１９の透過部Ｔに対応する液晶層の層厚をｄｂとするとき、
ｄｒ ＞ ｄｇ ＞ ｄｂ………（１）
に設定されている。つまり、
Ｒ色着色層１９の厚さ＜Ｇ色着色層１９の厚さ＜Ｂ色着色層の厚さ…（２）
に設定されている。
【００５３】
仮に、図６に符号Ｂで示す特性を有するＹＡＧタイプのＬＥＤを光源６として用いるとすると、このＬＥＤはＲ色波長領域に強度ピークを持たないので、上式（２）のようにＲ色着色層１９の厚さを薄くできない。つまり、上式（１）のような液晶層の層厚を実現できない。
【００５４】
これに対し、図７に示すように、Ｒ色波長領域に強度ピークＣを持つ３波長方式のＬＥＤを光源として用いた本実施形態によれば、図２に示すようにＲ色着色層１９の層厚を薄くしてもＲ色に関して十分な強度を得ることができるので、そのＲ色着色層１９の透過部Ｔに対応する液晶層１４の層厚ｄｒを厚くできる。そして、さらに、各色着色層１９の透過部Ｔに対応する液晶層１４の層厚ｄｒ，ｄｇ，ｄｂを上式（１）のように設定すれば、Ｒ，Ｇ，Ｂの各色を鮮明に表示することが可能となる。
【００５５】
また、本実施形態では、さらに、（１）液晶層１４の屈折率異方性をΔｎとし、（２）Ｒ色着色層１９を透過する光の波長をλｒとし、Ｇ色着色層１９を透過する光の波長をλｇとし、Ｂ色着色層１９を透過する光の波長をλｂとし、（３）Ｒ色着色層１９の透過部Ｔに対応する液晶層１４の層厚をｄｒとし、Ｇ色着色層１９の透過部Ｔに対応する液晶層１４の層厚をｄｇとし、Ｂ色着色層１９の透過部Ｔに対応する液晶層１４の層厚をｄｂとするとき、
Δｎ×ｄｒ／λｒ ≒ Δｎ×ｄｇ／λｇ ≒ Δｎ×ｄｂ／λｂ…（３）
となるように、各色着色層１９の光学的な条件を設定している。
【００５６】
Ｒ，Ｇ，Ｂの各色着色層１９に関する光学的条件を上式（３）のように設定すれば、Ｒ，Ｇ，Ｂのそれぞれの色を鮮明に表示でき、カラー表示全体としても明るい表示を行うことができる。
【００５７】
（変形例）
上記実施形態では、ＴＦＤを用いた液晶装置に本発明を適用したが、本発明は、ＴＦＤ以外の２端子型スイッチング素子を用いたアクティブマトリクス方式の液晶装置にも適用できる。また、本発明は、ＴＦＴ（Thin Film Transistor）等といった３端子型スイッチング素子を用いたアクティブマトリクス方式の液晶装置にも適用できる。また、本発明は、スイッチング素子を用いない単純マトリクス方式の液晶装置にも適用できる。また、本発明は、液晶装置以外の電気光学装置にも適用できる。
【００５８】
（電子機器の実施形態）
次に、本発明に係る電子機器の実施形態を図面を用いて説明する。図９は、電子機器の一実施形態のブロック図を示している。ここに示す電子機器は、液晶装置１と、これを制御する制御回路８０とを有する。液晶装置１は、液晶パネル８１と、半導体ＩＣ等で構成される駆動回路８２とを有する。また、制御回路８０は、表示情報出力源８３と、表示情報処理回路８４と、電源回路８６と、タイミングジェネレータ８７とを有する。
【００５９】
表示情報出力源８３は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。タイミングジェネレータ８７によって生成された各種のクロック信号に基づいて、所定フォーマットの画像信号等の形で表示情報を表示情報処理回路８４に供給するように構成されている。
【００６０】
表示情報処理回路８４は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路８２へ供給する。駆動回路８２は、走査線駆動回路、データ線駆動回路及び検査回路を含む。また、電源回路８６は、上記の各構成要素にそれぞれ所定の電圧を供給する。
【００６１】
図１０は、本発明を電子機器の一例である携帯電話機に適用した場合の一実施形態を示している。ここに示す携帯電話機７０は、本体部７１と、これに開閉可能に設けられた表示体部７２とを有する。液晶装置等といった電気光学装置によって構成された表示装置７３は、表示体部７２の内部に配置され、電話通信に関する各種表示は、表示体部７２にて表示画面７４によって視認できる。本体部７１の前面には操作ボタン７６が配列して設けられる。
【００６２】
表示体部７２の一端部からアンテナ７７が出没自在に取付けられている。受話部７８の内部にはスピーカが配置され、送話部７９の内部にはマイクが内蔵されている。表示装置７３の動作を制御するための制御部は、携帯電話機の全体の制御を司る制御部の一部として、又はその制御部とは別に、本体部７１又は表示体部７２の内部に格納される。
【００６３】
図１１は、電子機器の一例である携帯情報機器に本発明を適用した場合の実施形態を示している。ここに示す携帯情報機器９０は、タッチパネルを備えた情報機器であり、電気光学装置としての液晶装置９１を搭載している。この情報機器９０は、液晶装置９１の表示面によって構成される表示領域Ｖと、その表示領域Ｖの下方に位置する第１入力領域Ｗ１とを有する。第１入力領域Ｗ１には入力用シート９２が配置されている。
【００６４】
液晶装置９１は、長方形状又は正方形状の液晶パネルと、同じく長方形状又は正方形状のタッチパネルとが平面的に重なり合う構造を有する。タッチパネルは入力用パネルとして機能する。タッチパネルは、液晶パネルよりも大きく、この液晶パネルの一端部から突き出した形状となっている。
【００６５】
表示領域Ｖ及び第１入力領域Ｗ１にはタッチパネルが配置されており、表示領域Ｖに対応する領域も、第１入力領域Ｗ１と同様に入力操作可能な第２入力領域Ｗ２として機能する。タッチパネルは、液晶パネル側に位置する第２面とこれと対向する第１面とを有しており、第１面の第１入力領域Ｗ１に相当する位置に入力用シート９２が貼られている。
【００６６】
入力用シート９２にはアイコン９３及び手書き文字認識領域Ｗ３を識別するための枠が印刷されている。第１入力領域Ｗ１においては、入力用シート９２を介してタッチパネルの第１面に指やペン等といった入力手段で荷重をかけることにより、アイコン９３の選択や文字認識領域Ｗ３での文字入力等といったデータ入力を行うことができる。
【００６７】
一方、第２入力領域Ｗ２においては、液晶パネルの像を観察することができるほか、液晶パネルに例えば入力モード画面を表示させ、タッチパネルの第１面に指やペンで荷重をかけることにより、その入力モード画面内の適宜の位置を指定することができ、これにより、データ入力等を行うことができる。
【００６８】
（その他の実施形態）
以上、好ましい実施形態を挙げて本発明を説明したが、本発明はその実施形態に限定されるものでなく、請求の範囲に記載した発明の範囲内で種々に改変できる。
【００６９】
例えば、本発明に係る電子機器としては、以上に説明した携帯電話機や携帯情報機器の他にも、液晶テレビ、デジタルスチルカメラ、腕時計、その他各種の電子機器が考えられる。
【図面の簡単な説明】
【図１】本発明に係る電気光学装置の一実施形態を示す断面図である。
【図２】図１の要部を拡大して示す断面図であり、図４のＸ−Ｘ線に従った断面図である。
【図３】図２に示す構造の断面図であり、図４のＹ−Ｙ線に従った断面図である。
【図４】図１に示す構造の主要部の平面構造を示す平面図である。
【図５】図１の装置で用いられるスイッチング素子の一例を示す斜視図である。
【図６】図１の装置で用いられる光源の一例の分光特性を示すグラフである。
【図７】図１の装置で用いられる光源の他の一例の分光特性を示すグラフである。
【図８】（ａ）は図１の電気光学装置で用いられる光源の一例を模式的に示す図であり、（ｂ）は従来の電気光学装置で用いられる光源の一例を模式的に示す図である。
【図９】本発明に係る電子機器の一実施形態を示すブロック図である。
【図１０】本発明に係る電子機器の他の実施形態である携帯電話機を示す斜視図である。
【図１１】本発明に係る電子機器の他の実施形態である携帯情報端末機を示す斜視図である。
【符号の説明】
１：液晶装置（電気光学装置）、２：液晶パネル、３：駆動用ＩＣ、４：照明装置、１１：カラーフィルタ基板、１２：素子基板、１３：シール材、１４：液晶層（電気光学物質層）、１６ａ，１６ｂ：基材、１７：樹脂層、１８：反射層、１９：着色層、２１：遮光層、２２：オーバーコート層、２３ａ，２３ｂ：電極、２４ａ，２４ｂ：配向膜、２８：貫通穴、３１：ＴＦＤ、４６：反射層の開口、７０：携帯電話機（電子機器）、９０：携帯情報機器（電子機器）、ｄｒ，ｄｇ，ｄｂ：透過部に対応する液晶層の層厚，ｄ０：反射部に対応する液晶層の層厚，Ｄ：表示ドット、Ｌ０：外部光、Ｌ１：照明光、Ｒ：反射部、Ｔ：透過部、Ｖ：表示領域
【図１】
2004198929.tif 000003
【図２】
2004198929.tif 000004
【図３】
2004198929.tif 000005
【図４】
2004198929.tif 000006
【図５】
2004198929.tif 000007
【図６】
2004198929.tif 000008
【図７】
2004198929.tif 000009
【図８】
2004198929.tif 000010
【図９】
2004198929.tif 000011
【図１０】
2004198929.tif 000012
【図１１】
2004198929.tif 000013